(57)【要約】【課題】  屋外の窓前に設置することで、外部からの視線を遮りつつ、採光や眺望を確保し、且つ、設置後においてもその形状を変化させて囲われた空間を形成できる目隠しパネル体を提供する。【解決手段】  二枚のパネル１ａ，１ｂと、三本の支柱２ａ，２ｂ，２ｃと、二組のレール３ａ，３ｂとを備え、支柱は直線上に並んでおり、各レールは互いに平行して支柱間に掛け渡してあり、パネルはレールに沿ってスライドする。パネルは互いに反対方向へスライド可能で、それぞれのパネルの一部が最外側の支柱より外側に突出し、その突出部分が折り曲げ可能である。さらに、全てのパネルが同じ大きさで、前後に重ねることができる。【選択図】      図１
2010047961.tif 000002
【特許請求の範囲】
【請求項１】
複数のパネルと、複数の支柱と、レールとを備え、支柱は直線上に並んでおり、レールは支柱間に掛け渡してあり、パネルはレールに沿ってスライドするもので、少なくとも一枚のパネルの一部が最外側の支柱より外側に突出し、その突出部分が折り曲げ可能であることを特徴とする目隠しパネル体。
【請求項２】
少なくとも一組のパネルが互いに反対方向へスライド可能で、それぞれのパネルの一部が最外側の支柱より外側に突出し、その突出部分が折り曲げ可能であることを特徴とする請求項１記載の目隠しパネル体。
【請求項３】
全てのパネルが同じ大きさで、前後に重ねることができることを特徴とする請求項１又は２記載の目隠しパネル体。
【発明の詳細な説明】
【技術分野】
【０００１】
本発明は、窓前に設置して外部からの視線を遮る目隠しパネル体に関する。
【背景技術】
【０００２】
従来、住宅において外部からの視線を遮るには、敷地の周縁部に塀を設けるか、窓にカーテンやブラインドを設けるのが一般的であった。しかしながら、通常の塀は固定式であり、設置後に変形して好みの空間を形成することはできなかった。また、カーテンやブラインドは開閉自在であるが、閉じた場合には室内側からの視線も完全に遮られ、採光したり、庭を眺めたりすることもできない。そこで、屋外の窓前に可動式のパネル体を設置することで、外部からの視線を遮りつつ、採光や眺望を確保し、且つ、設置後においてもその形状を変化させて好みの空間を形成することができるようにすることが考えられる。なお、このようなパネル体に類するものとして、文献１に記載された可動式の仕切り装置がある。
【特許文献１】特開２００３−１７２０６７号公報
【発明の開示】
【発明が解決しようとする課題】
【０００３】
しかしながら、文献１の発明は、支軸を中心として回転自在で且つ床面を摺動自在な仕切体と仕切体に設けたガイド部に支持され床面を摺動可能なパネル部材とを備えることで、その向きや長さを変化させることができるものであるが、開口部に設置される仕切りに関するものであることから、パネル部材が仕切体と連動して回転し、仕切体と直交するように配置することができないものであり、単独では空間の囲いとして使用することができなかった。
【０００４】
本発明は、上記事情を鑑みたものであり、屋外の窓前に設置することで、外部からの視線を遮りつつ、採光や眺望を確保し、且つ、設置後においてもその形状を変化させて囲われた空間を形成できる目隠しパネル体を提供することを目的とする。
【課題を解決するための手段】
【０００５】
本発明のうち請求項１の発明は、複数のパネルと、複数の支柱と、レールとを備え、支柱は直線上に並んでおり、レールは支柱間に掛け渡してあり、パネルはレールに沿ってスライドするもので、少なくとも一枚のパネルの一部が最外側の支柱より外側に突出し、その突出部分が折り曲げ可能であることを特徴とする。
【０００６】
本発明のうち請求項２の発明は、少なくとも一組のパネルが互いに反対方向へスライド可能で、それぞれのパネルの一部が最外側の支柱より外側に突出し、その突出部分が折り曲げ可能であることを特徴とする。
【０００７】
本発明のうち請求項３の発明は、全てのパネルが同じ大きさで、前後に重ねることができることを特徴とする。
【発明の効果】
【０００８】
本発明のうち請求項１の発明によれば、これを屋外の窓前に設置することで、外部からの視線を遮りつつ、採光や眺望を確保できる。パネルをスライドさせて全体の大きさを変化させることで、視線を遮る範囲を調整することができ、さらにパネルの一部を折り曲げることで、正面だけでなく側方からの視線も遮り、パネルに囲われた空間を形成できる。
【０００９】
本発明のうち請求項２の発明によれば、両端のパネルの一部を折り曲げることで、全体をコの字形にして、周囲をパネルに囲まれた空間を形成することができ、例えば窓前に設けた植栽を囲むのに適している。
【００１０】
本発明のうち請求項３の発明によれば、全てのパネルを重ねることで、パネル一枚分の大きさとなり、窓前に設置した際には正面からの視線のみを遮り、それ以外は視線を通して採光や眺望を確保することができる。
【発明を実施するための最良の形態】
【００１１】
以下、本発明の実施の形態を図面に基づいて説明する。なお、以下の第一実施例の説明において、上下左右とは図１（ａ）の上下左右を示し、前側とは同図奥側、後側とは同図手前側を示す。本発明の目隠しパネル体の第一実施例は、図１及び図２に示すように、二枚のパネル１ａ，１ｂと、三本の支柱２ａ，２ｂ，２ｃと、二組（四本）のレール３ａ，３ｂとを備える。
パネルは前後に配置し、前側のパネルを１ａ，後側のパネルを１ｂとする。二枚のパネルは同じ構造であり、前側のパネル１ａを例に説明すると、上枠１１ａ、下枠１２ａ、左縦枠１３ａ及び右縦枠１４ａを四方枠組みした枠体に板体１５ａを嵌め込み、二つの枠体を丁番６により折り畳み可能に連設して一枚のパネル１ａを構成している。丁番６は、図３に示すように、一方の枠体の右縦枠１４ａ上下端に設けた連結部６１と、他方の枠体の左縦枠１３ａ上下端に設けた被連結部６２と、連結部６１及び被連結部６２に連通する連結軸６３とからなる（図３では上端部分のみ図示）。
支柱２ａ，２ｂ，２ｃは、左右方向直線上に等間隔に立設してあり、上下位置に断面長方形の梁部材４が掛け渡してある。そして、上側の梁部材４の下面には、前後に平行して二本のレール３ａ，３ｂが設けてあり、下側の梁部材４の上面には、上側の梁部材４に設けたレールに対向する位置にレール３ａ，３ｂが設けてある。
パネル１ａ，１ｂの上枠１１ａ，１１ｂは上方に開口しており、その内部には戸車５ａ，５ｂを備えている。一方、下枠１２ａ，１２ｂは下方に開口しており、同様にその内部には戸車５ａ，５ｂを備えている。これらの戸車５ａ、５ｂが、それぞれレール３ａ，３ｂを走行することで、パネル１ａ，１ｂがそれぞれレール３ａ，３ｂに沿って左右方向にスライドする。
さらに、前側のパネル１ａの左下部及び後側のパネル１ｂの右下部には、パネルを固定するための固定手段を有する。この固定手段は、図４（パネル１ａについて図示）に示すようなフランス落とし１９であり、設置面Ｇに設けた受け穴ｇ１に軸を落とし込むことで、パネル１ａ，１ｂの突出部分を固定できる。
【００１２】
次に、このように構成した目隠しパネル体の動作について説明する。上述のとおり、各パネル１ａ，１ｂはレール３ａ，３ｂに沿って左右方向にスライド可能であり、二枚のパネル１ａ，１ｂを左右に広げたり（図１（ｂ））、重ねたりして（図１（ｃ））、適宜大きさを調整することができる。また、前側のパネル１ａは、左側の枠体の全体が最左側の支柱２ａより左側に突出する位置まで動かすことができ、後側のパネル１ｂは、右側の枠体の全体が最右側の支柱２ｃより右側に突出する位置まで動かすことができる。なお、パネルに設けた突起（図示省略）が支柱に係合することにより、パネル１ａが図１（ａ）の位置より左に（パネル１ｂが図１（ａ）の位置より右に）移動してパネルがレールから脱落するのを防いでいる。そして、各パネル１ａ，１ｂは二つの枠体を連設してあるので、この状態からパネルの突出部分、すなわち突出した一方の枠体を後側へ折り曲げ（図１（ｂ））、パネルに囲われた空間を形成することができる。実際の使用例としては、窓の前側に植栽を設け、さらにその前側に本目隠しパネル体を設置し、植栽をパネルで囲んで外部からの視線を遮ること等が考えられる。なお、パネル１ａ，１ｂを固定するための受け穴ｇ１は、Ｐ位置及びＱ位置に設けてあり（図１（ｂ））、パネル１ａ，１ｂを左右に広げた状態及び両パネル１ａ，１ｂを折り曲げてコの字形にした状態で固定することができる。
【００１３】
次に、目隠しパネル体の第二実施例について、図５に基づいて説明する。なお、上下左右前後の示す方向については第一実施例の場合に準じ、第一実施例と同様の部分については説明を省略する。第二実施例は、三枚のパネル１ａ，１ｂ，１ｃと、五本の支柱２ａ，２ｂ，２ｃ，２ｄ，２ｅと、二組（四本）のレール３ａ，３ｂとを備える。レール３ａ，３ｂは五本の支柱に掛け渡した梁部材４に設けてあり、パネル１ａは前側のレール３ａに沿ってスライドし、パネル１ｂ及び１ｃは後側のレール３ｂに沿ってスライドする。後側のパネル１ｂ及び１ｃは二つの枠体が丁番６で連設されており、最左側の支柱２ａ又は最右側の支柱２ｅより外側に突出して折り曲げ可能である。このように構成した第二実施例は、第一実施例よりも左右に幅広で前側からの遮視性が高く、またパネルを折り曲げてパネルに囲われた空間を形成することができる。
【００１４】
次に、目隠しパネル体の第三実施例について、図６に基づいて説明する。なお、上下左右前後の示す方向については第一実施例の場合に準じ、第一実施例と同様の部分については説明を省略する。第三実施例は、三枚のパネル１ａ，１ｂ，１ｃと、三本の支柱２ａ，２ｂ，２ｃと、二組（四本）のレール３ｂ，３ｃとを備える。レール３ｂ，３ｃは三本の支柱に掛け渡した梁部材４に設けてあり、パネル１ａは梁部材４に固定されており、パネル１ｂは中央のレール３ｂに沿ってスライドして左側に突出し、パネル１ｃは後側のレール３ｃに沿ってスライドして右側に突出する。中央のパネル１ｂ及び後側のパネル１ｃは二つの枠体が丁番６で連設されているが、中央のパネル１ｂにおいては左側の枠体が大きく、後側のパネル１ｃにおいては右側の枠体が大きい。このように構成することで折り曲げ部分の面積が大きくなるので、より左右方向からの遮視性を高めることができ、三枚のパネルを重ねれば正面からの視線のみを遮ることができる。
【００１５】
本発明は、上記の実施形態に限定されない。例えば、パネルにおいて二つの枠体を連結するには、パネルの上下端ではなく側面に丁番を設けてもよい。また、パネルは三つ以上の枠体を連設するものであってもよい。さらに、パネルを構成する板体にスリットや孔を設け、複数のパネルの重ねてずらすことで遮視性を変化させてもよいし、板体の表面に図柄を描いて意匠性を向上させてもよい。
【図面の簡単な説明】
【００１６】
【図１】（ａ）は本発明の目隠しパネル体の第一実施例の正面図、（ｂ）はＡ−Ａ線断面図、（ｃ）はパネルを重ねた状態を示す断面図である。
【図２】図１（ａ）のＢ−Ｂ線断面図である。
【図３】パネルにおける枠体同士の連結部分の説明図である。
【図４】パネルにおける固定手段の説明図である。
【図５】第二実施例の水平方向断面図であり、（ａ）はパネルを左右に開いた状態、（ｂ）はパネルを重ねた状態を示す。
【図６】第三実施例の水平方向断面図であり、（ａ）はパネルを左右に開いた状態、（ｂ）はパネルを重ねた状態を示す。
【符号の説明】
【００１７】
１ａ，１ｂ，１ｃ  パネル
２ａ，２ｂ，２ｃ，２ｄ，２ｅ  支柱
３ａ，３ｂ，３ｃ  レール
【図１】
2010047961.tif 000003
【図２】
2010047961.tif 000004
【図３】
2010047961.tif 000005
【図４】
2010047961.tif 000006
【図５】
2010047961.tif 000007
【図６】
2010047961.tif 000008